(57)【要約】モバイルデバイスを利用した暦出力方法及びシステムが開示される。該方法は、レイアウトを規定するＸＨＴＭＬテンプレートを使用し、暦のＸＨＴＭＬデータを生成して画像形成装置に伝送するステップと、伝送されたＸＨＴＭＬデータを解析し、暦を出力するステップとを含むことを特徴とする。これにより、ＸＨＴＭＬ−Printデータのようにスタイルを指定できるマークアップ（Markup）言語を利用し、モバイルデバイスからユーザが容易に暦を出力できる。【選択図】図１
2009533937.tif 000002
【特許請求の範囲】
【請求項１】
レイアウトを規定するＸＨＴＭＬテンプレートを使用し、暦のＸＨＴＭＬデータをモバイルデバイスで生成し、伝送リンクを経て画像形成装置に伝送するステップと、
前記画像形成装置で前記伝送されたＸＨＴＭＬデータを解析し、暦を出力するステップと
を含むことを特徴とする、モバイルデバイスを利用した暦出力方法。
【請求項２】
前記暦に対するレイアウト設定情報を入力するステップと、
前記入力されたレイアウト設定情報に対応するＸＨＴＭＬテンプレートを検出し、伝送リンクを経て前記画像形成装置に伝送する前に、前記入力されたレイアウト設定情報に対応するＸＨＴＭＬデータを生成するステップと
をさらに含むことを特徴とする、請求項１に記載の方法。
【請求項３】
前記レイアウト設定情報は、国家情報、出力サイズ情報、出力種類情報、出力期間情報、記念日出力情報、テキスト出力可否情報、挿入イメージ情報のうち、少なくとも１つ以上の情報を含むことを特徴とする、請求項２に記載の方法。
【請求項４】
出力する前記暦を選択するステップと、
前記国家情報、前記出力サイズ情報、前記出力種類情報、前記出力期間情報、前記記念日出力情報、前記テキスト出力情報、前記挿入イメージ情報を設定するステップと、
前記設定された情報を前記暦の設定情報として保存するステップと
を含むことを特徴とする、請求項３に記載の方法。
【請求項５】
前記モバイルデバイスに設定されている国家コード情報を使用し、前記国家情報を自動的に設定することを特徴とする、請求項３に記載の方法。
【請求項６】
前記ＸＨＴＭＬデータを生成するステップは、
前記設定された国家情報に対応する祝祭日情報を検出し、前記検出された祝祭日情報が反映されたＸＨＴＭＬデータを生成することを特徴とする、請求項３に記載の方法。
【請求項７】
前記ＸＨＴＭＬデータを生成するステップは、
前記検出された祝祭日情報が前記暦の他の出力情報と識別されて出力されるように、ＸＨＴＭＬデータを生成することを特徴とする、請求項６に記載の方法。
【請求項８】
前記ＸＨＴＭＬデータを生成するステップは、
前記設定された挿入イメージ情報に対応する挿入イメージを検出し、前記検出された挿入イメージが反映されたＸＨＴＭＬデータを生成することを特徴とする、請求項３に記載の方法。
【請求項９】
前記デバイスを利用した暦出力方法は、
記念日情報を登録するステップをさらに含み、
前記登録された記念日情報を検出し、前記検出された記念日情報が反映されたＸＨＴＭＬデータを生成することを特徴とする、請求項２に記載の方法。
【請求項１０】
前記記念日情報を登録するステップは、
前記登録される記念日情報として、記念日に関連したテキスト情報を含むことを特徴とする、請求項９に記載の方法。
【請求項１１】
前記ＸＨＴＭＬデータを生成するステップは、
前記登録された記念日情報が前記暦の他の出力情報と識別されて出力されるように、ＸＨＴＭＬデータを生成することを特徴とする、請求項１０に記載の方法。
【請求項１２】
請求項１に記載の方法を実行するためのプログラムを記録したコンピュータで読み取り可能な記録媒体。
【請求項１３】
暦のレイアウトを規定するＸＨＴＭＬテンプレートを使用し、前記暦のＸＨＴＭＬデータを生成するモバイルデバイスと、
前記モバイルデバイスから伝送された前記ＸＨＴＭＬデータを受信して解析し、前記暦を出力する画像形成装置と
を備えることを特徴とする、モバイルデバイスを利用した暦出力システム。
【請求項１４】
前記モバイルデバイスは、
各国家の祝祭日情報を保存する祝祭日情報保存部と、
多様なレイアウトに対応するＸＨＴＭＬテンプレート情報を保存するＸＨＴＭＬテンプレート情報保存部と、
前記暦に対するレイアウト設定情報を受信するユーザインターフェース部と、
前記入力されたレイアウト設定情報に対応するＸＨＴＭＬテンプレートを検出し、前記入力されたレイアウト設定情報が反映されたＸＨＴＭＬデータを生成するＸＨＴＭＬデータ生成部と、
前記生成されたＸＨＴＭＬデータを、伝送リンクを経て前記画像形成装置に伝送するデータ伝送部と
を備えることを特徴とする、請求項１３に記載のシステム。
【請求項１５】
前記レイアウト設定情報は、国家情報、出力サイズ情報、出力種類情報、出力期間情報、記念日出力情報、テキスト出力情報、挿入イメージ情報のうち、少なくとも１つ以上の情報を含むことを特徴とする、請求項１４に記載のシステム。
【請求項１６】
前記モバイルデバイスに設定されている国家コード情報から、前記国家情報を取得する国家情報取得部をさらに具備することを特徴とする、請求項１５に記載のシステム。
【請求項１７】
前記ＸＨＴＭＬデータ生成部は、
前記設定された国家情報に対応する祝祭日情報を前記祝祭日情報保存部から検出し、前記検出された祝祭日情報が反映されたＸＨＴＭＬデータを生成することを特徴とする、請求項１５に記載のシステム。
【請求項１８】
前記暦に挿入する挿入イメージを保存する挿入イメージ保存部をさらに備え、
前記ＸＨＴＭＬデータ生成部は、前記設定された挿入イメージ情報に対応する前記挿入イメージを前記挿入イメージ保存部から検出し、前記検出された挿入イメージが反映されたＸＨＴＭＬデータを生成することを特徴とする、請求項１５に記載のシステム。
【請求項１９】
記念日情報を登録する記念日情報登録部と、
前記登録された記念日情報を保存する記念日情報保存部と
をさらに備え、
前記ＸＨＴＭＬデータ生成部は、前記記念日情報保存部から前記登録された記念日情報を検出し、前記検出された記念日情報が反映されたＸＨＴＭＬデータを生成することを特徴とする、請求項１４に記載のシステム。
【請求項２０】
前記ＸＨＴＭＬデータ生成部は、
前記登録された記念日情報が前記暦の他の出力情報と識別されて出力されるように、ＸＨＴＭＬデータを生成することを特徴とする、請求項１９に記載のシステム。
【請求項２１】
ユーザにより入力された記念日情報、各国の祝祭日情報、多様なレイアウトに対応するＸＨＴＭＬ−printテンプレート情報、及び暦に挿入されるイメージを保存する保存部と、
前記暦に関するレイアウト設定情報を受信するユーザインターフェース部と、
受信されたレイアウト設定情報に対応するＸＨＴＭＬテンプレートを検出し、受信されたレイアウト設定情報に対応する暦のＸＨＴＭＬデータを生成し、ＸＨＴＭＬデータを伝送リンクを経て画像形成装置に伝送する制御部と
を備えることを特徴とする、暦を生成するモバイルデバイス。
【請求項２２】
前記画像形成装置は、
前記暦を出力して印刷するために、前記モバイルデバイスから伝送された前記ＸＨＴＬデータを受信して分析することを特徴とする、請求項２１に記載のモバイルデバイス。
【請求項２３】
前記保存部は、
各国の祝祭日情報を保存する祝祭日保存部と、
多様なレイアウトに対応するＸＨＴＭＬテンプレート情報を保存するＸＨＴＭＬテンプレート情報保存部と、
暦に挿入されるイメージを保存する挿入イメージ保存部と
を備え、
前記制御部は、
前記挿入イメージ保存部から前記挿入イメージ情報に対応する挿入イメージを検出し、前記検出された挿入イメージを含むＸＨＴＭＬデータを生成することをさらに行うことを特徴とする、請求項２１に記載のモバイルデバイス。
【請求項２４】
前記レイアウト設定情報は、
国家情報、出力サイズ情報、出力種類情報、出力期間情報、記念日出力情報、テキスト出力情報及び挿入イメージ情報のうち、少なくとも１つを含むことを特徴とする、請求項２１に記載のモバイルデバイス。
【請求項２５】
前記制御部は、
モバイルデバイスに設定された国家コード情報から国家情報を獲得し、前記国家情報に対応する祝祭日情報を検出し、前記検出された祝祭日情報を含んだＸＨＴＭＬデータを生成することをさらに行うことを特徴とする、請求項２１に記載のモバイルデバイス。
【請求項２６】
前記制御部は、
ユーザから入力された記念日情報を検出し、前記検出された記念日情報を含んだＸＨＴＭＬデータを生成することをさらに行うことを特徴とする、請求項２１に記載のモバイルデバイス。
【請求項２７】
前記制御部は、
前記ユーザから入力された記念日情報を検出し、暦の他の出力情報から前記記念日情報を区別するために、ＸＨＴＭＬデータを生成することをさらに行うことを特徴とする、請求項２１に記載のモバイルデバイス。
【発明の詳細な説明】
【技術分野】
【０００１】
本発明は電子暦（electronic  calendar）に係り、特に、携帯電話のようなモバイルデバイスから暦をプリンタのような画像形成装置に出力するとき、ＸＨＴＭＬ−Printデータと共にスタイルを指定できる言語を利用し、暦の特定日を他の日と区別して出力できるようにするモバイルデバイスを利用した暦出力方法及びシステムに関する。
【背景技術】
【０００２】
携帯電話のように、モバイルデバイスでユーザが撮影した写真を出力する際、既存には単純な形態の写真のみを要求したが、モバイルデバイス技術の発達によって、さまざまな形態のレイアウトとさまざまな情報とを構成できるＸＨＴＭＬ−Printのようなコンテンツを提供している。
【０００３】
ハードウェア、ソフトウェア及び無線産業間のモバイル印刷（printing）ガイドラインを推進する（drive）中立的であって非営利の団体であるＭＩＰＣ（Mobile  Imaging  ＆  Printing  Consortium）では、携帯電話のようなモバイルデバイスとプリンタとの間の機能を利用できる多様な技術が議論されている。ここで、モバイルデバイスの機能は複雑になる一方、モバイルデバイス自体のプロセッサと各種リソース（Resource）とのパワー（power）の限界を克服せねばならないという問題点が現れており、かような問題点を解決するために、モバイルデバイスでは、最小限のモジュールとプロセシングを行い、プリンタで多くの部分を遂行させる技術的流れが形成されている。
【０００４】
特に、コンピュータ（host  computer）でアプリケーションを利用して暦を生成するときには、ユーザが特定アプリケーションで暦のレイアウトを定め、また暦のオプション（年度、月、曜日など）を選択すれば、暦が生成されて画面にディスプレイされる。ユーザが画面にディスプレイされた暦を印刷するために、印刷メニューを選択すれば、暦データは、コンピュータに設置されたPrinter  Driverを介してＰＤＬデータに変換され、変換されたデータは、プリンタに伝送され、プリンタのエミュレーションとプリンタエンジンとによって暦が出力される。
【発明の開示】
【発明が解決しようとする課題】
【０００５】
携帯電話のようなモバイルデバイスは、コンピュータ（host  computer）より低スペックであるために、暦を出力するためにプリンタで提供するドライバを設置するのに限界があり、プリンタドライバは、特定プリンタと従属的であるために、多様なプリンタを使用するためには、当該ドライバを具備しなければならないという問題点がある。すなわち、モバイル環境では、コンピュータ環境とは異なり、制限されたＨ／Ｗリソースと制限されたＵＩ（user  interface）との環境のために、コンピュータと同一にユーザに暦を出力するためのサービスを提供できない。
【課題を解決するための手段】
【０００６】
本発明がなそうとする技術的課題は、ＸＨＴＭＬ−Printデータのようにスタイルを指定できるマークアップ（Markup）言語を利用し、モバイルデバイスからユーザが容易に暦を出力できるモバイルデバイスを利用した暦出力方法及びシステムを提供するところにある。
【０００７】
上記の課題をなすために、本発明によるデバイスを利用した暦出力方法は、レイアウトを規定するＸＨＴＭＬテンプレートを使用し、暦のＸＨＴＭＬデータをモバイルデバイスで生成し、伝送リンクを経て画像形成装置に伝送するステップと、画像形成装置で伝送されたＸＨＴＭＬデータを解釈し、暦を出力するステップとを含むことを特徴とする。
【０００８】
上記デバイスを利用した暦出力方法は、暦に対するレイアウト設定情報を入力するステップと、既入力のレイアウト設定情報に対応するＸＨＴＭＬテンプレートを検出し、伝送リンクを経て画像形成装置に伝送する前に、入力されたレイアウト設定情報に対応するＸＨＴＭＬデータを生成するステップとをさらに含むことを特徴とする。
【０００９】
上記レイアウト設定情報は、国家情報、出力サイズ情報、出力種類情報、出力期間情報、記念日出力情報、コンテンツ出力情報、挿入イメージ情報のうち、少なくとも１つ以上の情報を含むことを特徴とする。
【００１０】
上記デバイスを利用した暦出力方法は、暦出力が選択されるステップと、国家情報、出力サイズ情報、出力種類情報、出力期間情報、記念日出力情報、テキスト出力情報、挿入イメージ情報を設定するステップと、既設定の情報を暦の設定情報として保存するステップとを含むことを特徴とする。
【００１１】
上記デバイスを利用した暦出力方法は、モバイルデバイスに設定されている国家コード情報を使用し、国家情報を自動的に設定することを特徴とする。
【００１２】
上記ＸＨＴＭＬデータは、設定された国家情報に対応する祝祭日情報を検出し、検出された祝祭日情報が暦の他の出力情報と識別されて出力されることによって生成することを特徴とする。またＸＨＴＭＬデータは、設定された挿入イメージ情報に対応する挿入イメージを検出し、検出された挿入イメージを含めることによって生成されることを特徴とする。
【００１３】
上記デバイスを利用した暦出力方法は、記念日情報を登録するステップをさらに含み、登録された記念日情報を検出し、検出された記念日情報の反映されたＸＨＴＭＬデータを生成することを特徴とする。
【００１４】
上記記念日情報を登録するステップは、登録される記念日情報として記念日に関連したテキスト情報を含むことを特徴とする。
【００１５】
上記の他の課題をなすために、本発明によるデバイスを利用した暦出力システムは、暦のレイアウトを規定するＸＨＴＭＬテンプレートを使用し、暦のＸＨＴＭＬデータを生成するモバイルデバイスと、モバイルデバイスから伝送されたＸＨＴＭＬデータを受信して解析し、暦を出力する画像形成装置とを備えることを特徴とする。
【００１６】
上記モバイルデバイスは、各国家の祝祭日情報を保存する祝祭日情報保存部と、多様なレイアウトに対応するＸＨＴＭＬテンプレート情報を保存するＸＨＴＭＬテンプレート情報保存部と、暦に対するレイアウト設定情報を入力されるユーザインターフェース部と、入力されたレイアウト設定情報に対応するＸＨＴＭＬテンプレートを検出し、入力されたレイアウト設定情報の反映されたＸＨＴＭＬデータを生成するＸＨＴＭＬデータ生成部と、生成されたＸＨＴＭＬデータを伝送リンクを経て画像形成装置に伝送するデータ伝送部とを備えることを特徴とする。
【００１７】
上記レイアウト設定情報は、国家情報、出力サイズ情報、出力種類情報、出力期間情報、記念日出力情報、テキスト出力情報、挿入イメージ情報のうち、少なくとも１つ以上の情報を含むことを特徴とする。
【００１８】
上記デバイスを利用した暦出力システムは、モバイルデバイスに設定されている国家コード情報から国家情報を取得する国家情報取得部と、暦に挿入する挿入イメージを保存する挿入イメージ保存部とをさらに備え、ＸＨＴＭＬデータ生成部は、設定された挿入イメージ情報に対応する挿入イメージを挿入イメージ保存部から検出し、検出された挿入イメージの反映されたＸＨＴＭＬデータを生成することを特徴とする。
【００１９】
上記ＸＨＴＭＬデータ生成部は、設定された国家情報に対応する祝祭日情報を祝祭日情報保存部から検出し、検出された祝祭日情報の反映されたＸＨＴＭＬデータを生成することを特徴とする。
【００２０】
上記ＸＨＴＭＬデータ生成部は、設定された挿入イメージ情報に対応する挿入イメージを挿入イメージ保存部から検出し、検出された挿入イメージの反映されたＸＨＴＭＬデータを生成することを特徴とする。
【００２１】
上記デバイスを利用した暦出力システムは、記念日情報を登録する記念日情報登録部と、登録された記念日情報を保存する記念日情報保存部とをさらに備え、ＸＨＴＭＬデータ生成部は、記念日情報保存部から登録された記念日情報を検出し、検出された記念日情報の反映されたＸＨＴＭＬデータを生成することを特徴とする。
【００２２】
上記ＸＨＴＭＬデータ生成部は、登録された記念日情報が暦の他の出力情報と識別されて出力されるように、ＸＨＴＭＬデータを生成することを特徴とする。
【００２３】
上記のさらに他の課題をなすために、本発明によるモバイルデバイスは、ユーザにより入力された記念日情報、各国の祝祭日情報、多様なレイアウトに対応するＸＨＴＭＬ−printテンプレート情報、及び暦に挿入されるイメージを保存する保存部と、暦に関するレイアウト設定情報を受信するユーザインターフェース部と、受信されたレイアウト設定情報に対応するＸＨＴＭＬテンプレートを検出し、受信されたレイアウト設定情報に対応する暦のＸＨＴＭＬデータを生成し、ＸＨＴＭＬデータを伝送リンクを経て画像形成装置に伝送する制御部とを備えることを特徴とする。
【００２４】
上記画像形成装置は、暦を出力して印刷するために、モバイルデバイスから伝送されたＸＨＴＬデータを受信して分析することを特徴とする。
【００２５】
上記保存部は、各国の祝祭日情報を保存する祝祭日保存部と、多様なレイアウトに対応するＸＨＴＭＬテンプレート情報を保存するＸＨＴＭＬテンプレート情報保存部と、暦に挿入されるイメージを保存する挿入イメージ保存部とを備え、制御部は、挿入イメージ保存部から挿入イメージ情報に対応する挿入イメージを検出し、検出された挿入イメージを含むＸＨＴＭＬデータを生成することをさらに行うことを特徴とする。
【００２６】
上記制御部は、モバイルデバイスに設定された国家コード情報から国家情報を獲得し、国家情報に対応する祝祭日情報を検出し、検出された祝祭日情報を含んだＸＨＴＭＬデータを生成することをさらに行うことを特徴とする。
【００２７】
上記制御部は、ユーザから入力された記念日情報を検出し、検出された記念日情報を含んでＸＨＴＭＬデータを生成することをさらに行うことを特徴とする。
【発明の効果】
【００２８】
本発明によるデバイスを利用した暦出力方法及びシステムは、ＸＨＴＭＬ−Printデータのようにスタイルを指定できるマークアップ（Markup）言語を利用し、モバイルデバイスからユーザが容易に暦を出力できる方法を提供し、暦の生成において、各国別祝祭日及びユーザが定義した記念日を、暦が生成されるとき、他の日と区分させることによって、ユーザが容易に特定日を知ることができるようにする。
【発明を実施するための形態】
【００２９】
以下で記述されるＸＨＴＭＬ−Print文書は、ＸＨＴＭＬ文書または他の形式のマークアップ文書にも適用されうる。以下、本発明によるデバイスを利用した暦出力方法について、添付された図面を参照しつつ詳細に説明する。
【００３０】
図１は、本発明の一実施形態による、モバイルデバイスを利用した暦出力方法を説明するためのフローチャートである。本発明の一実施形態のモバイルデバイスは、携帯電話、ＰＤＡ（Personal  Digital  Assistant）、または移動機器（portable  device）等である。画像形成装置は、コンパクト（compact）フォトプリンタまたはイメージプリンタ等である。
【００３１】
図１を参照すれば、モバイルデバイスで、レイアウトを規定するＸＨＴＭＬ−Printテンプレートを使用し、暦のＸＨＴＭＬ−Printデータを生成して画像形成装置に伝送する（ステップＳ１０）。画像形成装置は、ＸＨＴＭＬ−Printデータを受信すれば、受信されたＸＨＴＭＬ−Printデータを解析し、暦を出力する（ステップＳ１２）。
【００３２】
図２は、図１に図示されたステップＳ１０を説明するための一実施形態のフローチャートである。図２を参照すれば、まず、暦のレイアウト設定情報を入力される（ステップＳ２０）。レイアウト設定情報は、少なくとも国家情報（country  information）、出力サイズ情報、出力種類情報、出力期間情報、記念日出力情報、テキスト出力情報及び挿入イメージ情報のうち、少なくとも１つを含む。レイアウト設定情報に付加し、記念日情報は付加的に登録されうる。記念日情報は、記念日と関連したテキスト情報を含むことができる。モバイルデバイスは、暦のレイアウト設定情報に相応するＸＨＴＭＬ−Printテンプレートを利用してＸＨＴＭＬ−Printデータを生成し（ステップＳ２２）、ＸＨＴＭＬ−Printデータを画像形成装置に伝送する（ステップＳ２４）。
【００３３】
図３は、図２に図示された、記念日情報の登録とレイアウト設定情報入力との実施形態を説明するフローチャートである。
【００３４】
図３を参照すれば、暦出力が選択される（ステップＳ３０）。ステップＳ３０後に、国家情報、出力サイズ情報、出力種類情報、出力期間情報、記念日出力情報、テキスト出力情報、及び挿入イメージ情報を設定する（ステップＳ３２）。
【００３５】
ステップＳ３２後に、設定された情報は、暦の設定情報として保存される（ステップＳ３４）。保存された設定情報は、暦出力のためのＸＨＴＭＬ−Printデータの生成のために使われる。
【００３６】
図４は、本発明の一実施形態による、暦出力のための対話ウィンドウの一例を表す図面である。図５Ａ乃至図５Ｆは、本発明の実施形態による、レイアウト設定情報を入力できる対話ウィンドウの一例を表す図面である。
【００３７】
図４を参照すれば、対話ウィンドウ４０は、いくつのメニューを含むが、例えばメニュー番号１はアラーム（alarm  clock）の機能を示し、メニュー番号２はスケジュール管理機能を示し、メニュー番号３はメモ帳機能を示し、メニュー番号４は暦出力機能を示し、メニュー番号５は記念日登録機能を示す。ユーザがメニュー番号４「暦出力」を選択する場合、図５に該当するレイアウト設定情報を入力できる対話ウィンドウがディスプレイされる。
【００３８】
図２で説明したように、レイアウト設定情報は、国家情報、出力サイズ情報、出力種類情報、出力期間情報、記念日出力情報、テキスト出力情報、挿入イメージ情報のうち、少なくとも１つ以上の情報を含む。
【００３９】
図５Ａを参照すれば、対話ウィンドウ５１を介して、出力しようとする暦に対応する国家を設定できる。このとき、特に、ユーザが「Ａｕｔｏ」を選択する場合には、通信のためにモバイルデバイスに設定されている国家コード情報を使用し、国家情報を自動的に設定することを特徴とする。モバイルデバイスが通信を行える状態ならば、ＩＰ番号または各国別通信社の識別番号を介して、モバイルデバイスで使われている国家コード情報を検出でき、かような国家コード情報を暦出力のための国家情報として設定できる。また、モバイルデバイスが通信を行えない状態ならば、モバイルデバイスのオペレーティングシステム（ＯＳ）に設定されている国家コード情報を利用し、国家情報を設定することもできる。
【００４０】
また、図５Ｂを参照すれば、対話ウィンドウ５２を介して、暦の出力サイズを設定でき、図５Ｃを参照すれば、対話ウィンドウ５３を介して、暦の種類（例えば、年度（Year）別に出力される暦、月（Month）別に出力される暦、または週（Week）別に出力される暦、または日（Day）ごとに出力される暦）を設定でき、図５Ｄを参照すれば、対話ウィンドウ５４を介して、暦に記念日を表示するか否かを設定でき、図５Ｅを参照すれば、対話ウィンドウ５５を介して、暦にコンテンツ（例えば、記念日などのテキスト情報）を表示するか否かを設定でき、図５Ｆを参照すれば、対話ウィンドウ５６を介して、暦にイメージを挿入するか否かを設定できる。
【００４１】
図６Ａ乃至６Ｄは、レイアウト設定情報が入力された対話ウィンドウの一例を示す図面である。図６Ａは、イメージが暦に挿入されるように設定したレイアウト設定情報を示す対話ウィンドウ６０であり、図６Ｂは、イメージが挿入されないように設定したレイアウト設定情報を示す対話ウィンドウ６０であり、図６Ｃは、国家情報が自動的に設定されるように、「ＡＵＴＯ」を設定したレイアウト設定情報を示す対話ウィンドウ６０であり、図６Ｄは、コンテンツが出力されるように設定したレイアウト設定情報を示す対話ウィンドウ６０である。
【００４２】
図７は、本発明の一実施形態による、記念日情報を登録できる対話ウィンドウの一例を示す図面である。対話ウィンドウ７０は、ユーザの誕生日情報のような記念日情報を含む。図４に図示された「５  記念日登録」を選択する場合、図７に図示された記念日情報を登録できる対話ウィンドウがディスプレイされる。ユーザが図７に図示された対話ウィンドウの記念日欄及びコンテンツ欄に入力すれば、入力されたコンテンツが記念日情報として登録される。
【００４３】
図８は、本発明の一実施形態による、記念日情報が保存された一例を示す図面である。図８に図示されたように、ユーザによって入力されたそれぞれの記念日情報が統合的に対話ウィンドウ８０に保存されている。例えば、家族の重要な誕生日や結婚記念日の情報が対話ウィンドウ８０に保存される。
【００４４】
図２を再び参照し、図２のステップＳ２０後に、入力されたレイアウト設定情報に対応するＸＨＴＭＬ−Printテンプレートを検出し、入力されたレイアウト設定情報の反映されたＸＨＴＭＬ−Printデータを生成する（ステップＳ２２）。
【００４５】
図９は、本発明の一実施形態による、レイアウト設定情報に対応するＸＨＴＭＬ−Printテンプレートの一例を示す図面である。図９に図示されたＸＨＴＭＬ−Printテンプレートらのうち、図２のステップＳ２０で設定されたレイアウト設定情報に対応するＸＨＴＭＬ−Printテンプレートを検出する。例えば、レイアウト設定情報が、出力サイズ「４＊６（Portrait）」、出力種類「Month」、イメージ挿入「YES」と設定されたとすれば、それに対応するＸＨＴＭＬ−Printテンプレートは、テンプレート番号が「０００４」に該当するテンプレートを検出する。
【００４６】
図１０は、本発明の一実施形態による、検出されたＸＨＴＭＬ−Printテンプレートの一例を示す図面である。図１０は、出力サイズ「４＊６（Portrait）」、出力種類「Month」、イメージ挿入「YES」と設定されたレイアウト設定情報に対応するＸＨＴＭＬ−Printテンプレート１００の一例を表している。
【００４７】
図１１は、図１０に図示されたＸＨＴＭＬ−Printテンプレート１００によって出力される暦のイメージ１１０を図示したものである。
【００４８】
一方、ＸＨＴＭＬ−Printデータを生成するとき、図３のステップＳ２０で設定された国家情報に対応する祝祭日情報を検出し、該祝祭日情報の反映されたＸＨＴＭＬ−Printデータを生成する。図１２は、本発明の一実施形態による、祝祭日情報の保存された一例を示す図面である。図１２に図示されたように、各国家別に対応する祝祭日情報が保存されている。従って、図３のステップＳ２０で設定された国家情報が大韓民国であるならば、祝祭日情報が保存されている所定メモリから、大韓民国の国家コード「０００１」に対応する祝祭日情報を検出する。このように検出された祝祭日情報は、暦出力のためのＸＨＴＭＬ−Printデータの生成に使われる。このとき、検出された祝祭日情報が暦の他の出力情報と識別されて出力されるように、ＸＨＴＭＬ−Printデータを生成することを特徴とする。祝祭日情報が他の出力情報と識別されるようにするために、祝祭日情報の色相を別途にしたり、字体を異ならせたり、テキストサイズを違うようにするなどの方法を介して識別させる。
【００４９】
一方、設定された挿入イメージ情報に対応する挿入イメージを検出し、検出された挿入イメージの反映されたＸＨＴＭＬ−Printデータを生成することを特徴とする。レイアウト設定情報に設定された挿入イメージを多様なイメージ情報が保存された所定のメモリから検出し、検出された挿入イメージを暦に挿入させるＸＨＴＭＬ−Printデータを生成する。
【００５０】
図１３は、本発明の一実施形態による、検出されたＸＨＴＭＬ−Printテンプレートを使用し、ＸＨＴＭＬ−Printデータを生成するところを説明するための一例の図面である。図１３を参照すれば、ＸＨＴＭＬ−Printデータは、暦スタイル（Style）部分、暦ＸＨＴＭＬ−Print  Content  テンプレート（Template）、及びテンプレートで実際データに代替された部分を含む。「暦スタイル（Style）部分」は、記念日、週末、そして記念日の日にいかなるスタイルを適用するかが定義されている。また、図１３の暦「ＸＨＴＭＬ−Print  Content  Template」は、代替される部分が「％文字列（String）％」（例えば、「％WeekStyleBox％」）になっている。ここで、「％WeekStyleBox％」部分には、「暦スタイル部分」の該当日の特性によって、それぞれのスタイルが代替される。例えば、該当日が日曜日ならば、「％WeekStyleBox％」が「．sunBox」に代替され、該当日が記念日ならば、「％WeekStyleBox％」が「．anniversaryBox」に代替される。このとき、記念日のフォント色が紫色（purple）のスタイルであると規定される。
【００５１】
一方、図２のステップＳ２２は、登録された記念日情報を検出し、検出された記念日情報の反映されたＸＨＴＭＬ−Printデータを生成することを特徴とする。登録された記念日情報が暦の他の出力情報と識別されて出力されるように、ＸＨＴＭＬ−Printデータを生成する。
【００５２】
図１４は、本発明の一実施形態による、生成されたＸＨＴＭＬ−Printデータの一例を示す図面である。図１４は、出力サイズを「４＊６（Portrait）」、出力種類「Month」、期間「２００６年２月〜２００６年２月」、記念日「Yes」、イメージ挿入「Yes：MyBaby．Jpg」に設定されたレイアウト設定情報に対応するＸＨＴＭＬ−Printデータ１４０の一例であり、太字で表現された部分がレイアウト設定情報によって代替された部分である。
【００５３】
図１５は、図１４に図示されたＸＨＴＭＬ−Printデータによって出力される暦のイメージ１５０の一例を図示したものである。図１５で、２月８日は記念日であって紫色（Purple）でスタイルが適用され、２月２８日の場合には、祝祭日であるために、赤い色でスタイルが適用されて他の日と識別させている。
【００５４】
図１６は、本発明の一実施形態による、生成されたＸＨＴＭＬ−Printデータの他の一例を示す図面である。図１６は、出力サイズが「portrait」であり、挿入イメージのないときのＸＨＴＭＬ−Printデータ１６０を示す。図１７は、図１６に図示されたＸＨＴＭＬ−Printデータによって出力される暦のイメージ１７０の一例を図示したものである。
【００５５】
図１８は、本発明の一実施形態による、ＸＨＴＭＬ−Printデータによって出力されたイメージのさらに他の一例を示す図面である。図１８から分かるように、記念日及び国家公休日に係るコンテンツ情報が暦１８０に表示されて出力される。
【００５６】
図２のステップＳ２２後に、生成されたＸＨＴＭＬ−Printデータを画像形成装置に伝送する（ステップＳ２４）。伝送リンク（transmission  link）またはネットワークを介してモバイルデバイスに連結された画像形成装置にＸＨＴＭＬ−Printデータを伝送する。
【００５７】
再び図１を参照し、ステップＳ１０後に、伝送されたＸＨＴＭＬ−Printデータを解析して暦を出力する（ステップＳ１２）。画像形成装置は、モバイルデバイスから暦に関するＸＨＴＭＬ−Printデータを受信し、受信されたＸＨＴＭＬ−Printデータを解析し、解析された結果を印刷エンジンで印刷する。
【００５８】
一方、前述の本発明の方法発明は、コンピュータで読み取り可能なコード／命令（instructions）／プログラムに具現でき、媒体、例えばコンピュータで読み取り可能な記録媒体を利用し、コード／命令／プログラムを動作させる汎用デジタルコンピュータで具現できる。
【００５９】
コンピュータで読み取り可能な記録媒体は、マグネチック保存媒体（例えば、ＲＯＭ（Read-Only  Memory）、ＲＡＭ（Random-Access  Memory）、フレキシブルディスク、ハードディスク、マグネチックテープなど）、光学的判読媒体（例えば、ＣＤ−ＲＯＭ、ＤＶＤなど）、及びキャリアウェーブ（例えば、インターネットを介した伝送）のような記録媒体を含む。また、本発明の実施形態は、コンピュータで読み取り可能なコードを内蔵する媒体でもって具現され、ネットワークを介して連結された多数のコンピュータシステムが分配されて処理動作するようにできる。本発明を実現する機能的なプログラム、コード及びコードセグメント（segment）は、本発明が属する技術分野のプログラマらによって容易に推論されうるであろう。
【００６０】
以下、本発明によるデバイスを利用した暦出力システムについて、添付された図面を参照しつつ詳細に説明する。
【００６１】
図１９は、本発明によるデバイスを利用した暦出力システムについて説明するための一実施形態のブロック図であり、モバイルデバイス１９０（例：携帯電話）、及び画像形成装置２００（例：家庭用プリンタ）から構成される。
【００６２】
モバイルデバイス１９０は、レイアウトを規定するＸＨＴＭＬ−Printテンプレートを使用し、暦のＸＨＴＭＬ−Printデータを生成し、生成されたＸＨＴＭＬ−Printデータを伝送リンク（transmission  link）３００を経て画像形成装置２００に出力する。伝送リンク３００は、無線解決策のためのブルートゥース（Bluetooth）、ＩｒＤＡ及びＷｉ−Ｆｉ、有線解決策のPictBridgeのような現存する連結標準（connectivity  standard）、メモリカードから直接印刷を利用する。
【００６３】
モバイルデバイス１９０は、暦のＸＨＴＭＬ−Printデータを生成するために、記念日情報登録部１９１、記念日情報保存部１９２、祝祭日情報保存部１９３、ＸＨＴＭＬ−Printテンプレート情報保存部１９４、挿入イメージ保存部１９５、ユーザインターフェース部１９６、国家情報取得部１９７、ＸＨＴＭＬ−Printデータ生成部１９８及びデータ伝送部１９９から構成される。
【００６４】
記念日情報登録部１９１は、ユーザから入力される記念日情報を登録し、登録された記念日情報を記念日情報保存部１９２に出力する。記念日情報登録部１９１は、登録される記念日情報として、記念日に関連したテキスト情報を登録できる。
【００６５】
記念日情報保存部１９２は、登録された記念日情報を受信して保存し、ＸＨＴＭＬ−Printデータ生成部１９８の要請によって、要請された記念日情報をＸＨＴＭＬ−Printデータ生成部１９８に出力する。記念日情報保存部１９２は、記念日情報登録部１９１で登録されたそれぞれの記念日情報を統合的に保存している。
【００６６】
祝祭日情報保存部１９３は、各国家の祝祭日情報を保存しているが、ＸＨＴＭＬ−Printデータ生成部１９８の要請によって、レイアウト設定情報のうち、国家情報に対応する祝祭日情報をＸＨＴＭＬ−Printデータ生成部１９８に出力する。前述した図１２は、祝祭日情報の一例である。
【００６７】
ＸＨＴＭＬ−Printテンプレート情報保存部１９４は、多様なレイアウトに対応するＸＨＴＭＬ−Printテンプレート情報を保存しているが、ＸＨＴＭＬ−Printデータ生成部１９８の要請によって、レイアウト設定情報に対応するＸＨＴＭＬ−PrintテンプレートをＸＨＴＭＬ−Printデータ生成部１９８に出力する。前述の図８は、ＸＨＴＭＬ−Printテンプレート情報保存部１９４に保存されたＸＨＴＭＬ−Printテンプレートの一例である。
【００６８】
挿入イメージ保存部１９５は、暦に挿入する挿入イメージを保存し、ＸＨＴＭＬ−Printデータ生成部１９８の要請によって、レイアウト設定情報のうち、挿入が要請されたイメージをＸＨＴＭＬ−Printデータ生成部１９８に出力する。
【００６９】
ユーザインターフェース部１９６は、暦に対するレイアウト設定情報を入力され、入力されたレイアウト設定情報の結果を国家情報取得部１９７またはＸＨＴＭＬ−Printデータ生成部１９８に出力する。レイアウト設定情報は、国家情報、出力サイズ情報、出力種類情報、出力期間情報、記念日出力情報、テキスト出力情報、挿入イメージ情報のうち、少なくとも１つ以上の情報を含む。
【００７０】
ユーザインターフェース部１９６は、図５Ａ乃至図５Ｆに図示された対話ウィンドウをディスプレイし、ディスプレイされた対話ウィンドウを介して、国家情報、出力サイズ、暦の種類、記念日の出力いかん、テキスト情報出力いかん、イメージの挿入いかんなどについてのレイアウト設定情報を入力される。
【００７１】
国家情報取得部１９７は、通信のためにモバイルデバイス１９０に設定されている国家コード情報から国家情報を取得し、取得した国家情報をＸＨＴＭＬ−Printデータ生成部１９８に出力する。レイアウト設定情報のうち、国家情報が「Ａｕｔｏ」と設定されている場合には、国家情報取得部１９７は、ＩＰ番号または各国別通信社の識別番号を介して、モバイルデバイス１９０で使われている国家コード情報を検出でき、かような国家コード情報を暦出力のための国家情報として設定できる。また、デバイスが通信を行えない状態であるならば、国家情報取得部１９７は、モバイルデバイス１９０のオペレーティングシステム（ＯＳ）に設定されている国家コード情報を利用し、国家情報を設定することもできる。
【００７２】
ＸＨＴＭＬ−Printデータ生成部１９８は、入力されたレイアウト設定情報に対応するＸＨＴＭＬ−PrintテンプレートをＸＨＴＭＬ−Printテンプレート情報保存部１９４から検出し、検出されたＸＨＴＭＬ−Printテンプレートにレイアウト設定情報が反映されたＸＨＴＭＬ−Printデータを生成し、生成されたＸＨＴＭＬ−Printデータをデータ伝送部１９９に出力する。
【００７３】
また、ＸＨＴＭＬ−Printデータ生成部１９８は、設定された国家情報に対応する祝祭日情報を祝祭日情報保存部１９３から検出し、ＸＨＴＭＬ−Printテンプレートに検出された祝祭日情報の反映されたＸＨＴＭＬ−Printデータを生成する。
【００７４】
また、ＸＨＴＭＬ−Printデータ生成部１９８は、設定された挿入イメージ情報に対応する挿入イメージを挿入イメージ保存部１９５から検出し、ＸＨＴＭＬ−Printテンプレートに検出された挿入イメージの反映されたＸＨＴＭＬ−Printデータを生成する。
【００７５】
また、ＸＨＴＭＬ−Printデータ生成部１９８は、記念日情報保存部１９２に保存された記念日情報を検出し、ＸＨＴＭＬ−Printテンプレートに検出された記念日情報の反映されたＸＨＴＭＬ−Printデータを生成する。ＸＨＴＭＬ−Printデータ生成部１９８は、登録された記念日情報が暦の他の出力情報と識別されて出力されるように、ＸＨＴＭＬ−Printデータを生成する。祝祭日情報が他の出力情報と識別されるようにするために、祝祭日情報の色相を別途にしたり、字体を異ならせたり、テキストサイズを別にするなどの方法を介して識別させる。
【００７６】
データ伝送部１９９は、生成されたＸＨＴＭＬ−Printデータを画像形成装置２００に伝送する。
【００７７】
画像形成装置２００は、モバイルデバイス１９０から伝送されたＸＨＴＭＬ−Printデータを解析して暦を出力する。このために、画像形成装置２００は、データ受信部２１０、インタープリタ２２０及び印刷エンジン部２３０から構成される。
【００７８】
データ受信部２１０は、モバイルデバイス１９０から伝送されたＸＨＴＭＬ−Printデータを受信し、インタープリタ２２０に出力する。
【００７９】
インタープリタ２２０は、受信されたＸＨＴＭＬ−Printデータを解析し、解釈した結果を印刷エンジン部２３０に出力する。
【００８０】
印刷エンジン部２３０は、解釈されたＸＨＴＭＬ−Printデータを印刷する。
【００８１】
図１９に示したように、モバイルデバイス１９０及び画像形成装置２００の様々な構成要素は、単一の制御ユニット内に統合されてもよいし、ソフトウェア又は例えば特定用途向け集積回路（ASIC）のようにハードウェアで実装されてもよい。例えば、モバイルデバイス１９０の記念日情報保存部１９２、祝祭日情報保存部１９３、ＸＨＴＭＬ−Printテンプレート情報保存部１９４、挿入イメージ保存部１９５は、単一の保存ユニットによって実装されてもよい。記念日情報登録部１９１、国家情報取得部１９７、ＸＨＴＭＬ−Printデータ生成部１９８は、単一の制御ユニット内に統合されてもよいし、モバイルデバイス１９０のオペレーティングシステム（OS）の機能として実装されてもよい。同様に、インタープリタ２２０は、画像形成装置２００のオペレーティングシステム（OS）内に実装されてもよい。ここでは、上記で記載されたプロセスが、ソフトウェア、ハードウェア又はそれらの組み合わせによって均等に実行されるように広く解釈されることを意図している。上記では、ソフトウェアモジュールが、様々なソフトウェア言語、例えばＣ、Ｃ＋＋、ＪＡＶＡ（登録商標）、Visual  Basic等によって記述されてもよい。これらのソフトウェアモジュールは、１又は複数のコンピュータで読み取り可能な記録媒体、例えばＤＲＡＭ、ＳＲＡＭ、ＥＰＲＯＭ、ＥＥＰＲＯＭやフラッシュメモリ、固定ディスク、フレキシブルディスク、リムーバブルディスク等の磁気ディスク、テープ等の他の磁気媒体、光学媒体に記録されうるデータや命令を含んでもよい。ソフトウェアルーティン又はモジュールの命令は、１又は複数の様雑な方法で無線ネットワーク上に存在する無線カード又は別のコンピュータ装置内に読み込まれたり送受信されたりしてもよい。例えば、フレキシブルディスク、ＣＤ又はＤＶＤ、ハードディスクに記録された命令を含むコードセグメントや、ネットワークインターフェースカード、モデム、又は他のインターフェース装置を介して送受信された命令を含むコードセグメントは、システム内に読み込まれてもよいし、対応するソフトウェアルーティン又はモジュールとして実行されてもよい。読み込み又送受信プロセスにおいて、（電話線、ネットワーク線、無線リンク、ケーブルなどを介して送受信される）搬送波として実現されるデータ信号は、命令を含むコードセグメントをネットワークノード又はエレメントへ通信してもよい。このような搬送波は、電気、光、音、電磁又はその他の信号の種類であってもよい。
【００８２】
かような本願発明のデバイスを利用した暦出力方法及びシステムは、理解を助けるために図面に図示された実施形態を参考に説明したが、それらは例示的なものに過ぎず、当分野で当業者ならば、それらから多様な変形及び均等な他実施形態が可能であるという点を理解することが可能であろう。従って、本発明の真の技術的保護範囲は、特許請求の範囲によって決まるのである。
【図面の簡単な説明】
【００８３】
【図１】本発明の一実施形態に係るモバイルデバイスを利用した暦出力方法を示すフローチャートである。
【図２】図１に図示された、画像形成装置へのＸＨＴＭＬ−printデータの伝送の一例を示すフローチャートである。
【図３】図２に図示された、設定情報のレイアウトの一例を示すフローチャートである。
【図４】暦出力のための対話ウィンドウの一例を示す図面である。
【図５Ａ】本発明の一実施形態によるレイアウト設定情報を入力できる対話ウィンドウの一例を示す図面である。
【図５Ｂ】本発明の一実施形態によるレイアウト設定情報を入力できる対話ウィンドウの一例を示す図面である。
【図５Ｃ】本発明の一実施形態によるレイアウト設定情報を入力できる対話ウィンドウの一例を示す図面である。
【図５Ｄ】本発明の一実施形態によるレイアウト設定情報を入力できる対話ウィンドウの一例を示す図面である。
【図５Ｅ】本発明の一実施形態によるレイアウト設定情報を入力できる対話ウィンドウの一例を示す図面である。
【図５Ｆ】本発明の一実施形態によるレイアウト設定情報を入力できる対話ウィンドウの一例を示す図面である。
【図６Ａ】本発明の一実施形態によるレイアウト設定情報が入力された対話ウィンドウの一例を示す図面である。
【図６Ｂ】本発明の一実施形態によるレイアウト設定情報が入力された対話ウィンドウの一例を示す図面である。
【図６Ｃ】本発明の一実施形態によるレイアウト設定情報が入力された対話ウィンドウの一例を示す図面である。
【図６Ｄ】本発明の一実施形態によるレイアウト設定情報が入力された対話ウィンドウの一例を示す図面である。
【図７】本発明の一実施形態による記念日情報を登録できる対話ウィンドウの一例を示す図面である。
【図８】本発明の一実施形態による記念日情報が保存された一例を示す図面である。
【図９】本発明の一実施形態によるレイアウト設定情報に対応するＸＨＴＭＬ−Printテンプレートの一例を示す図面である。
【図１０】本発明の一実施形態による検出されたＸＨＴＭＬ−Printテンプレートの一例を示す図面である。
【図１１】図１０に図示された、ＸＨＴＭＬ−Printテンプレートによって出力される暦のイメージを図示した図面である。
【図１２】本発明の一実施形態による祝祭日情報が保存された一例を示す図面である。
【図１３】本発明の一実施形態による検出されたＸＨＴＭＬ−Printテンプレートを使用して生成されたＸＨＴＭＬ−Printデータの一例を示す図面である。
【図１４】本発明の一実施形態による生成されたＸＨＴＭＬ−Printデータの一例を示す図面である。
【図１５】図１４に図示されたＸＨＴＭＬ−Printデータによって出力される暦のイメージを図示した図面である。
【図１６】本発明の一実施形態による生成されたＸＨＴＭＬ−Printデータの他の一例を示す図面である。
【図１７】図１６に図示されたＸＨＴＭＬ−Printデータによって出力される暦のイメージを図示した図面である。
【図１８】本発明の一実施形態によるＸＨＴＭＬ−Printデータによって出力される暦のさらに他の一例を示す図面である。
【図１９】本発明の一実施形態によるモバイルデバイスを利用した暦出力システムを示すブロック図である。
【図１】
2009533937.tif 000003
【図２】
2009533937.tif 000004
【図３】
2009533937.tif 000005
【図４】
2009533937.tif 000006
【図５Ａ】
2009533937.tif 000007
【図５Ｂ】
2009533937.tif 000008
【図５Ｃ】
2009533937.tif 000009
【図５Ｄ】
2009533937.tif 000010
【図５Ｅ】
2009533937.tif 000011
【図５Ｆ】
2009533937.tif 000012
【図６Ａ】
2009533937.tif 000013
【図６Ｂ】
2009533937.tif 000014
【図６Ｃ】
2009533937.tif 000015
【図６Ｄ】
2009533937.tif 000016
【図７】
2009533937.tif 000017
【図８】
2009533937.tif 000018
【図９】
2009533937.tif 000019
【図１０】
2009533937.tif 000020
【図１１】
2009533937.tif 000021
【図１２】
2009533937.tif 000022
【図１３】
2009533937.tif 000023
【図１４】
2009533937.tif 000024
【図１５】
2009533937.tif 000025
【図１６】
2009533937.tif 000026
【図１７】
2009533937.tif 000027
【図１８】
2009533937.tif 000028
【図１９】
2009533937.tif 000029
【国際調査報告】
2009533937.tif 000030
2009533937.tif 000031